(57)【要約】【課題】この発明は、ロープ取り替え作業負荷を著しく軽減し、主ロープの全数を一度に取り替えることが可能な２：１ローピング方式の機械室レスエレベータの主ロープ取り替え方法を得る。【解決手段】かご１を最上階に停止させ、チェーンブロック１８でかご１を吊り上げる。ついで、旧ロープ６ａをつり合い重り側綱止め７およびかご側綱止め１０から取り外し、その一端に新ロープ６ｂを接続し、他端にダミーロープ１７を接続する。さらに、かご側綱止め１０にローラ２１を取り付け、ダミーロープ１７をローラ２１に掛け渡してピット２ａに落とす。ついで、駆動綱車５のブレーキを開放し、ピット２ａ内からダミーロープ１７を引っ張り、ダミーロープ１７および旧ロープ６ａをピッチ２ａ内に引き下ろす。その後、新ロープ６ｂを旧ロープ６ａから外し、つり合い重り側綱止め７およびかご側綱止め１０に取り付ける。【選択図】図１
2008037624.tif 000002
【特許請求の範囲】
【請求項１】
昇降路の上部空間に設置された巻上機の駆動綱車と、上記昇降路の上部空間に設置されたかご側綱止めおよびつり合い重り側綱止めと、上記昇降路内を昇降するかごと、上記昇降路内を上記かごと反対方向に昇降するつり合い重りと、両端部を上記かご側綱止めと上記つり合い重り側綱止めとに固定され、２つのかご吊り車、上記駆動綱車およびつり合い重り吊り車にそれぞれ巻き掛けられた主ロープと、を備えた２：１ローピング方式の機械室レスエレベータの主ロープ取り替え方法であって、
上記かごを最上階若しくは最上階近傍に停止させ、上記つり合い重りを上記昇降路のピットに固定し、上記かごを吊り上げて上記既設の主ロープのテンションを抜く工程と、
上記既設の主ロープの両端を上記かご側綱止めおよび上記つり合い重り側綱止めから外し、該既設の主ロープの上記つり合い重り側綱止めからの取り外し側端部に新設の主ロープの端部を接続し、該既設の主ロープの上記かご側綱止めからの取り外し側端部にダミーロープの端部を接続し、さらにダミー返し車を上記昇降路の上部空間に設置する工程と、
上記ダミーロープを上記ダミー返し車に掛け渡して上記ピット内に垂らす工程と、
上記駆動綱車のブレーキを開放し、上記新設の主ロープを上記かご上から送り出しつつ、上記ダミーロープ、さらには上記既設の主ロープを上記ピット内に引き下げる工程と、
上記新設の主ロープの端部が上記ダミー返し車近傍に到達した後、該新設の主ロープの上記既設の主ロープとの接続を解き、その端部を上記かご側綱止めに固定すると共に、上記新設の主ロープの残る端部を上記つり合い重り側綱止めに固定する工程と、
上記かごの吊り上げおよび上記駆動綱車のブレーキ開放を解く工程と、
を備えていることを特徴とする２：１ローピング方式の機械室レスエレベータの主ロープ取り替え方法。
【請求項２】
上記ダミー返し車は、上記既設の主ロープが外された上記かご側綱止めに取り付けられることを特徴とする請求項１記載の２：１ローピング方式の機械室レスエレベータの主ロープ取り替え方法。
【発明の詳細な説明】
【技術分野】
【０００１】
この発明は、２：１ローピングのトラクション方式の機械室レスエレベータにおける主ロープ取り替え方法に関するものである。
【背景技術】
【０００２】
従来のトラクション方式の機械室レスエレベータでは、巻上機が昇降路上部のつり合い重り側に設置され、かご側綱止め梁が昇降路上部の反つり合い重り側に設置されている。そして、かご側綱止めがかご側綱止め梁のかご吊り車の上方となる位置に設置され、つり合い重り側綱止めが巻上機の取付板のつり合い重り吊り車の上方となる位置に設置されている。さらに、かご側綱止めとつり合い重り側綱止めとに両端部を固定された主ロープが、２つのかご吊り車、巻上機の駆動綱車およびつり合い重り吊り車にそれぞれ巻き掛けられている。この構成により、かごとつり合い重りとは、２：１ローピング方式でつるべ式に吊り下げられ、駆動綱車の回転によって、上下逆方向に、主ロープの速度の１／２の速度で昇降される（例えば、特許文献１参照）。
【０００３】
この種のエレベータにおいて、主ロープを取り替える場合には、まず、かごを昇降路上部まで上昇させ、つり合い重りを固定する。ついで、作業者が新ロープを持ってかご上に上がる。そして、かごを吊り上げて、旧ロープに弛みを発生させて、旧ロープを駆動綱車から外し、巻上機台などに仮置きする。ついで、旧ロープをつり合い重り側綱止めから外し、取り外された旧ロープの端末と新ロープの端末とを接続する。その後、旧ロープをかご側綱止めから外し、旧ロープを引き上げながら巻き取る。そして、旧ロープの端末に接続された新ロープの端末が引き上げられると、旧ロープと新ロープとの接続を解き、接続を解かれた新ロープの端末をかご側綱止めに取り付ける。さらに、新ロープを駆動綱車に掛け渡し、新ロープの残る端末をつり合い重り側綱止めに取り付ける。その後、かごの吊り上げおよびつり合い重りの固定を解除し、主ロープの取り替えが終了する。
【０００４】
【特許文献１】特開２００５−１１２４８７号公報
【発明の開示】
【発明が解決しようとする課題】
【０００５】
従来のエレベータの主ロープ取り替え方法では、作業者がかご上に乗り込み、旧ロープのつり合い重り側端末を綱止めから外し、新ロープを外した旧ロープの端末に接続した後、旧ロープをかご側綱止めから外してかご上に引き上げている。そこで、作業者が旧ロープをかご上に引き上げるため、作業者の作業負荷が著しく大きいという課題があった。また、旧ロープの全数を一度に引き上げるには、最大で約５０Ｋｇ（ロープ自重分）を引き上げなくてはならず、事実上不可能であった。そこで、旧ロープを１本ずつ引き上げる、つまり旧ロープを１本ずつ取り替える必要があり、作業時間が長くなってしまうという課題もあった。
【０００６】
この発明は、上記課題を解決するためになされたもので、ピット内からの作業者による旧ロープの引き下ろし作業で旧ロープの回収と新ロープの敷設とを同時に行わせ、ロープ取り替え作業負荷を著しく軽減でき、主ロープの全数を一度に取り替えることが可能な２：１ローピング方式の機械室レスエレベータの主ロープ取り替え方法を得ることを目的とする。
【課題を解決するための手段】
【０００７】
この発明は、昇降路の上部空間に設置された巻上機の駆動綱車と、上記昇降路の上部空間に設置されたかご側綱止めおよびつり合い重り側綱止めと、上記昇降路内を昇降するかごと、上記昇降路内を上記かごと反対方向に昇降するつり合い重りと、両端部を上記かご側綱止めと上記つり合い重り側綱止めとに固定され、２つのかご吊り車、上記駆動綱車およびつり合い重り吊り車にそれぞれ巻き掛けられた主ロープと、を備えた２：１ローピング方式の機械室レスエレベータの主ロープ取り替え方法である。そして、上記かごを最上階若しくは最上階近傍に停止させ、上記つり合い重りを上記昇降路のピットに固定し、上記かごを吊り上げて上記既設の主ロープのテンションを抜く工程と、上記既設の主ロープの両端を上記かご側綱止めおよび上記つり合い重り側綱止めから外し、該既設の主ロープの上記つり合い重り側綱止めからの取り外し側端部に新設の主ロープの端部を接続し、該既設の主ロープの上記かご側綱止めからの取り外し側端部にダミーロープの端部を接続し、さらにダミー返し車を上記昇降路の上部空間に設置する工程と、上記ダミーロープを上記ダミー返し車に掛け渡して上記ピット内に垂らす工程と、を備えている。さらに、上記駆動綱車のブレーキを開放し、上記新設の主ロープを上記かご上から送り出しつつ、上記ダミーロープ、さらには上記既設の主ロープを上記ピット内に引き下げる工程と、上記新設の主ロープの端部が上記ダミー返し車近傍に到達した後、該新設の主ロープの上記既設の主ロープとの接続を解き、その端部を上記かご側綱止めに固定すると共に、上記新設の主ロープの残る端部を上記つり合い重り側綱止めに固定する工程と、上記かごの吊り上げおよび上記駆動綱車のブレーキ開放を解く工程と、を備えている。
【発明の効果】
【０００８】
この発明によれば、新設の主ロープがつり合い重り側綱止めから外された既設の主ロープの端部に接続され、ダミーロープがかご側綱止めから外された既設の主ロープの端部に接続され、ダミーロープが昇降路の上部空間に設置されたダミー返し車に掛け渡されてピット内に垂らされ、そのダミーロープがピット内に引き下ろされる。そして、既設の主ロープがダミーロープに引き続いてピット内に引き下ろされると、主ロープの敷設経路の既設の主ロープが新設の主ロープに置き換えられる。そこで、ダミーロープおよび既設の主ロープをピット内に引き下ろすことで、主ロープの取り替えが行われるので、作業者の作業負荷が著しく軽減される。この時、駆動綱車のブレーキを開放しているので、駆動綱車が回転して既設の主ロープおよび新設の主ロープの走行負荷を低減し、作業負荷が軽減される。そこで、主ロープの全数を一度に取り替えることが可能となり、主ロープの取り替え作業時間の短縮が可能となる。
【発明を実施するための最良の形態】
【０００９】
図１および図２はそれぞれこの発明の一実施の形態に係る機械室レスエレベータの主ロープ取り替え方法を模式的に説明する工程図、図３はこの発明の一実施の形態に係る機械室レスエレベータにおけるかご側綱止め構造を説明する側面図、図４はこの発明の一実施の形態に係る機械室レスエレベータの主ロープ取り替え方法におけるダミー返し車の取り付け構造を説明する図であり、図４の（ａ）はその正面図、図４の（ｂ）はその側面図である。
【００１０】
機械室レスエレベータは、図１の（ａ）に示されるように、かご１が昇降路２内に上下方向に延設された一対のガイドレール３に案内されて昇降路２内に昇降自在に配設されている。また、つり合い重り４が昇降路２内に上下方向に延設された一対のガイドレール（図示せず）に案内されて昇降路２内に昇降自在に配設されている。このつり合い重り４は、かご１の昇降空間を避けるために、かご１の昇降空間と昇降路２の壁面との間に配設されている。
そして、駆動綱車５が昇降路２の上部空間のつり合い重り４の上方の位置に配設されている。この駆動綱車５は、図示していないが、減速機、モータなどともに巻上機を構成し、昇降路２の上部空間に設置された巻上機の取付台（図示せず）上に配設されている。
【００１１】
また、主ロープ６の一端側の端末が、巻上機の取付台のつり合い重り４の上方の位置に設置されたつり合い重り側綱止め７に固定されている。そして、主ロープ６は垂下されてつり合い重り４の上部に取り付けられたつり合い重り吊り車８に掛けられ、その後上昇されて駆動綱車５に掛けられる。ついで、主ロープ６は、垂下されてかご１の下部に設置された２つのかご吊り車９に掛けられる。その後、主ロープ６は、上昇されて、その端末が昇降路２の上部空間に設置されたかご側綱止め１０に固定されている。
【００１２】
このように、この機械室レスエレベータは、かご１とつり合い重り４とが２：１ローピング方式でつるべ式に吊り下げられている。そして、モータにより駆動綱車５が回転駆動され、駆動綱車５と主ロープ６との間の摩擦力により、主ロープ６が走行される。これにより、かご１とつり合い重り４とが、上下逆方向に、主ロープ６の速度の１／２の速度で昇降される。
【００１３】
ここで、主ロープ６の他端側の固定方法について、図３を参照しつつ説明する。
かご側綱止め１０は、シャックルロッド１１とロープソケット１２とが一体に構成されている。また、かご側綱止め梁１３が、例えば昇降路２の上部空間に、乗り場側の昇降路壁と奧側の昇降路壁とに跨って設置されている。そして、シャックルロッド１１をかご側綱止め梁１３に穿設された挿通穴１３ａに下方から通し、スプリング１４をその延出端に装着し、ナット１５をシャックルロッド１１の延出端に螺着して、かご側綱止め１０が取り付けられている。さらに、主ロープ６がその他端側をロープソケット１２に固定されている。この例では、かご１とつり合い重り４とが４本の主ロープ６で懸架されている。
【００１４】
なお、つり合い重り側綱止め７も、かご側綱止め１０と同様に構成されている。また、つり合い重り側綱止め７は、巻上機の取付台に取り付けられているものとしているが、つり合い重り側綱止め梁を設置し、つり合い重り側綱止め７をそのつり合い重り側綱止め梁に取り付けるようにしてもよい。
【００１５】
つぎに、この発明による主ロープの取り替え方法について図１、図２および図４を参照しつつ説明する。ここで、説明の便宜上、既設の主ロープ（旧ロープ）には符合６ａを付して実線で表し、新設の主ロープ（新ロープ）には符合６ｂを付して点線で表している。
【００１６】
まず、かご１を最上階もしくは最上階近傍に停止させる。そして、一人の作業者３０が、ピット２ａ内に降り、図１の（ｂ）に示されるように、パイプサポート１６によりつり合い重り４を固定する。ついで、もう一人の作業者３１が、図１の（ｃ）に示されるように、新ロープ６ｂ、ダミーロープ１７、チェーンブロック１８、ワイヤロープ１９、ワイヤクリップ２０、ダミー返し車としてのローラ２１を持ってかご７の上に登り、チェーンブロック１８でかご１とガイドレール３とを連結する。そして、チェーンブロック１８でかご１を吊り上げる。これにより、旧ロープ（既設のロープ）６ａのテンションが解かれ、旧ロープ６ａに弛みが発生する。
【００１７】
ついで、作業者３１は、旧ロープ６ａの両端をつり合い重り側綱止め７およびかご側綱止め１０から外す。そして、新ロープ６ｂの他端側の端末を旧ロープ６ａの一端側の端末（つり合い重り側綱止め７からの取り外し側の端末）に接続する。
ついで、図４の（ａ）に示されるように、ワイヤロープ１９の一端を１本のロープソケット１２に通し、ワイヤクリップ２０でワイヤロープ１９の一端側をロープソケット１２に固定する。そして、ローラ２１をワイヤロープ１９の他端から挿入する。その後、ワイヤロープ１９の他端をもう１本のロープソケット１２に通し、ワイヤクリップ２０でワイヤロープ１９の他端側を当該ロープソケット１２に固定する。これにより、図４の（ｂ）に示されるように、ローラ２１が２本のかご側綱止め１０にワイヤロープ１９を介して回転自在に取り付けられる。
【００１８】
ついで、作業者３１は、かご側綱止め１０から取り外した旧ロープ６ａの他端側の端末にダミーロープ１７を接続する。そして、作業者３１は、図１の（ｄ）に示されるように、ダミーロープ１７をローラ２１に掛け渡してピット２ａに落とす。さらに、作業者３１は、駆動綱車５のブレーキを開放し、駆動綱車５を回転自在とする。
【００１９】
ついで、かご１上の作業者３１が新ロープ６ｂを繰り出しつつ、ピット２ａ内の作業者３０がダミーロープ１７を引っ張る。これにより、旧ロープ６ａと新ロープ６ｂとの接続部２２が主ロープ６の敷設経路に沿って移動し、旧ロープ６ａが徐々に新ロープ６ｂに置き換えられる。そして、図２の（ａ）に示されるように、旧ロープ６ａと新ロープ６ｂとの接続部２２がローラ２１の近傍まで移動すると、主ロープ６の敷設経路はほぼ新ロープ６ｂに置き換えられる。
【００２０】
ついで、作業者３１は、図２の（ｂ）に示されるように、新ロープ６ｂの一端側の端末をつり合い重り側綱止め７に固定する。そして、作業者３１は、新ロープ６ｂと旧ロープ６ａとの接続を解き、旧ロープ６ａをピット２ａ内に落とす。ついで、作業者３１は、図２の（ｃ）に示されるように、旧ロープ６ａから外された新ロープ６ｂの他端側の端末をかご側綱止め１０に固定する。ついで、作業者３１は、チェーンブロック１８を取り外してかご１の吊り上げを解き、さらに駆動綱車５のブレーキの開放を解き、即ち駆動綱車５のブレーキがかかった状態に戻し、かご１上から降りる。また、ピット２ａ内の作業者３０は、パイプサポート１６を外してつり合い重り４の固定を解き、パイプサポート１６、ダミーロープ１７、旧ロープ６ａを撤去し、主ロープ６の取り替え作業が終了する。
【００２１】
この発明によれば、新ロープ６ｂがつり合い重り側綱止め７から外された旧ロープ６ａの端末に接続され、ダミーロープ１７がかご側綱止め１０から外された旧ロープ６ａの端末に接続され、ダミーロープ１７が昇降路２の上部空間に設置されたローラ２１に掛け渡されてピット２ａ内に垂らされ、そのダミーロープ１７がピット２ａ内に引き下ろされる。そして、旧ロープ６ａがダミーロープ１７に引き続いてピット２ａ内に引き下ろされると、主ロープ６の敷設経路の旧ロープ６ａが新ロープ６ｂに置き換えられる。そこで、ダミーロープ１７および旧ロープ６ａをピット２ａ内に引き下ろすことで、主ロープ６の取り替えが行われるので、作業者の作業負荷が著しく軽減される。
【００２２】
上記実施の形態では、旧ロープ６ａを一度に交換する本数については言及していないが、上述の通り、本取り替え方法によれば作業負荷が著しく軽減されるので、必ずしも旧ロープ６ａを１本ずつ取り替える必要はなく、全ての旧ロープ６ａを一度に新ロープ６ｂに取り替えることが可能となる。つまり、全ての旧ロープ６ａをつり合い重り側綱止め７およびかご側綱止め１０から取り外し、それぞれに新ロープ６ｂおよびダミーロープ１７を接続し、全てのダミーロープ１７をローラ２１に掛け渡してピット２ａに落とし、全てのダミーロープ１７をまとめてピット２ａ内に引き下げればよい。これにより、主ロープ６の取り替え作業時間が著しく短縮される。
【００２３】
また、ダミーロープ１７および旧ロープ６ａのピット２ａ内への引き下げ工程に先立って、駆動綱車５のブレーキが開放されているので、ダミーロープ１７および旧ロープ６ａをピット２ａ内に引き下げる際に、駆動綱車５が回転して旧ロープ６ａおよび新ロープ６ｂの走行がスムーズとなる。そこで、作業者の作業負荷が軽減される。
また、ローラ２１がかご側綱止め１０に取り付けられているので、ローラ２１を取り付けるための梁などの部材を新たに設置する必要が無く、作業時間を削減できるとともに、コストを低減することができる。
【００２４】
なお、上記実施の形態では、かご１を最上階あるいは最上階近傍に移動させ、停止させた後、チェーンブロック１８を用いてかご１をガイドレール３に連結し、かご１を吊り上げるものとしているが、チェーンブロック１８の一端はガイドレール３に限らず、昇降路２の上部に連結されていればよい。
また、上記実施の形態では、旧ロープ６ａに接続された新ロープ６ｂをかご１上から送り出すものとしているが、つり合い重り側綱止め７にローラ２１を取り付け、新ロープ６ｂをローラ２１に掛け渡して送り出すようにしてもよい。この場合、ローラ２１とつり合い重り吊り車８との間での主ロープの弛みを発生しないように新ロープ６ｂを送り出すことができ、主ロープのつり合い重り吊り車８からの脱輪等の不具合が防止される。
【図面の簡単な説明】
【００２５】
【図１】この発明の一実施の形態に係る機械室レスエレベータの主ロープ取り替え方法を模式的に説明する工程図である。
【図２】この発明の一実施の形態に係る機械室レスエレベータの主ロープ取り替え方法を模式的に説明する工程図である。
【図３】この発明の一実施の形態に係る機械室レスエレベータにおけるかご側綱止め構造を説明する側面図である。
【図４】この発明の一実施の形態に係る機械室レスエレベータの主ロープ取り替え方法におけるダミー返し車の取り付け構造を説明する図である。
【符号の説明】
【００２６】
１  かご、２  昇降路、２ａ  ピット、４  つり合い重り、５  駆動綱車、６  主ロープ、６ａ  旧ロープ（既設の主ロープ）、６ｂ  新ロープ（新設の主ロープ）、７  つり合い重り側綱止め、８  つり合いおもり吊り車、９  かご吊り車、１０  かご側綱止め、１７  ダミーロープ、１８  チェーンブロック、２１  ローラ（ダミー返し車）。
【図１】
2008037624.tif 000003
【図２】
2008037624.tif 000004
【図３】
2008037624.tif 000005
【図４】
2008037624.tif 000006